(57)【要約】【課題】本発明は、知恵の輪現象によるロープの外れを防止する効果が高いフックを提供することを課題とする。【解決手段】本発明の一態様に係るフックは、フック本体と、一端が上記フック本体の基部に揺動可能に枢支され、他端が上記フック本体の先端部近傍の内縁に押し当てられるよう付勢される主外れ止めと、上記主外れ止めに揺動可能に枢支され、外力が作用しない状態で第１端部が上記フック本体の先端部に近接する副外れ止めとを備える。上記副外れ止めの第２端部が上記フック本体の基部側に延び、外力が作用しない状態で上記副外れ止めの第２端部が上記フック本体の上記主外れ止めの枢支位置よりも内側の内縁に近接してもよい。上記副外れ止めが、外力が作用しない状態で両端が副外れ止めの枢支位置よりフック本体の内側に位置するよう屈曲していてもよい。【選択図】図１
2019034846.tif 000002
【特許請求の範囲】
【請求項１】
フック本体と、
一端が上記フック本体の基部に揺動可能に枢支され、他端が上記フック本体の先端部近傍の内縁に押し当てられるよう付勢される主外れ止めと、
上記主外れ止めに揺動可能に枢支され、外力が作用しない状態で第１端部が上記フック本体の先端部に近接する副外れ止めと
を備えるフック。
【請求項２】
上記副外れ止めの第２端部が上記フック本体の基部側に延び、外力が作用しない状態で上記副外れ止めの第２端部が上記フック本体の上記主外れ止めの枢支位置よりも内側の内縁に近接する請求項１に記載のフック。
【請求項３】
上記副外れ止めが、外力が作用しない状態で両端が副外れ止めの枢支位置よりフック本体の内側に位置するよう屈曲している請求項２に記載のフック。
【請求項４】
上記副外れ止めが、上記主外れ止めに形成される開口を貫通する請求項２又は請求項３に記載のフック。
【請求項５】
上記副外れ止めが上記第１端部に上記フック本体の先端部の内縁に係合する凹部を有する請求項１から請求項４のいずれか１項に記載のフック。
【請求項６】
上記副外れ止めが上記主外れ止めに対してばねで回転付勢されている請求項１から請求項５のいずれか１項に記載のフック。
【発明の詳細な説明】
【技術分野】
【０００１】
本発明は、フックに関する。
【背景技術】
【０００２】
クレーン等のフックとしては、フック本体の基部に揺動可能に枢支され、その先端がフック本体の先端側の内縁に押し当てられるよう付勢される外れ止めを有するものが知られている。
【０００３】
しかしながら、このような外れ止めを有するフックを使用しても、フックの中に通したロープがたるんでフックの中から延びる部分が外れ止めの上側に折り返された状態となり、この状態でロープに荷重が加わることで、ロープがフックを押し開いてフックから外れてしまうことがある。このようなメカニズムによるロープの外れは、一般的に「知恵の輪現象」又は「背抜け現象」と呼ばれており、重大事故を引き起こし得る危険な事象として認知されている。より具体的には、吊り荷の一部を着地した場合に玉掛けワイヤロープのアイがねじれてフックの外れ止めの上側に移動してしまうことで、外れ止めを押し下げて脱落する事故が報告されている。
【０００４】
このような知恵の輪現象によるロープの外れを防止するために、例えば特開２００１−２５３６７９号公報には、外れ止め（主外れ止め）と同軸に枢支され、フック本体の先端又は先端部の外縁に自重又はばね力により当接する外れ防止具（副外れ止め）を設けたフックが提案されている。
【先行技術文献】
【特許文献】
【０００５】
【特許文献１】特開２００１−２５３６７９号公報
【発明の概要】
【発明が解決しようとする課題】
【０００６】
上記公報に記載のフックは、外れ防止具の先端がフックの先端部の外側に突出するため、この外れ防止具の突出部分をロープが持ち上げて外れ防止具を押し開いて主外れ止めの上にロープが入り込んだ状態となり、ロープがフックから外れてしまうことがある。つまり、上記公報に記載のフックでも、知恵の輪現象によるロープの外れを完全に防止することができない。
【０００７】
上記不都合に鑑みて、本発明は、知恵の輪現象によるロープの外れを防止する効果が高いフックを提供することを課題とする。
【課題を解決するための手段】
【０００８】
上記課題を解決するためになされた本発明の一態様に係るフックは、フック本体と、一端が上記フック本体の基部に揺動可能に枢支され、他端が上記フック本体の先端部近傍の内縁に押し当てられるよう付勢される主外れ止めと、上記主外れ止めに揺動可能に枢支され、外力が作用しない状態で第１端部が上記フック本体の先端部に近接する副外れ止めとを備える。
【０００９】
当該フックは、上記副外れ止めが上記主外れ止めに揺動可能に枢支されるため、フック本体の先端部の端点よりも内側に近接するよう構成することができる。このため、ロープが副外れ止めを押し開いて主外れ止めを開放可能な位置に入り込むことを防止し、知恵の輪現象によるロープの外れを防止することができる。
【００１０】
当該フックにおいて、上記副外れ止めの第２端部が上記フック本体の基部側に延び、外力が作用しない状態で上記副外れ止めの第２端部が上記フック本体の上記主外れ止めの枢支位置よりも内側の内縁に近接してもよい。このように、上記副外れ止めの第２端部が、上記フック本体の基部側に延び、上記フック本体の上記主外れ止めの枢支位置よりも内側の内縁に近接することによって、副外れ止めの第２端部がフック本体に当接して主外れ止めの開放を抑制するので、知恵の輪現象によるロープの外れを防止する効果が高い。
【００１１】
当該フックにおいて、上記副外れ止めが、外力が作用しない状態で両端が副外れ止めの枢支位置よりフック本体の内側に位置するよう屈曲していてもよい。このように、上記副外れ止めが、外力が作用しない状態で両端が副外れ止めの枢支位置よりフック本体の内側に位置するよう屈曲していることによって、上記副外れ止めの第１端部をフック本体の先端から突出しないようにすることが容易となる。
【００１２】
当該フックにおいて、上記副外れ止めが、上記主外れ止めに形成される開口を貫通してもよい。このように、上記副外れ止めが、上記主外れ止めに形成される開口を貫通して配設されることによって、上記主外れ止め及び副外れ止めの強度を確保しつつ、主外れ止めに対する副外れ止めのスムーズな揺動が可能となる。
【００１３】
当該フックにおいて、上記副外れ止めが上記第１端部に上記フック本体の先端部の内縁に係合する凹部を有してもよい。このように、上記副外れ止めが上記第１端部に上記フック本体の先端部の内縁に係合する凹部を有することによって、副外れ止めとフック本体の先端部との間にロープが入り込むことをより確実に防止しながら、副外れ止めの横荷重に対する強度を向上することができる。
【００１４】
当該フックにおいて、上記副外れ止めが、上記主外れ止めに対してばねで回転付勢されていてもよい。このように、上記副外れ止めが、上記主外れ止めに対してばねで回転付勢されることによって、上記副外れ止めの一旦をフック本体の先端部に近接させてロープの外れを防止できる状態を維持することができる。
【００１５】
ここで、「外力が作用しない状態」とは、当該フックの構成要素以外の物体や人から力を受けていない状態を意味する。また、「フック本体の内側」とは、フックに掛けたロープに鉛直方向に荷重が作用する場合にロープがフック本体に接する位置に近い側を意味する。
【発明の効果】
【００１６】
以上のように、本発明の一態様に係るフックは、知恵の輪現象によるロープの外れを防止する効果が高い。
【図面の簡単な説明】
【００１７】
【図１】本発明の一実施形態のフックを示す模式的側面図である。
【図２】図１のフックの模式的斜視図である。
【発明を実施するための形態】
【００１８】
以下、適宜図面を参照しつつ、本発明の実施の形態を詳説する。
【００１９】
［フック］
図１に、本発明の一実施形態に係るフックを示す。
【００２０】
当該フックは、クレーン等に備えられたウインチから繰り出されるワイヤロープの先端に取り付けられるフック本体１と、このフック本体１に取り付けられ主外れ止め２と、この主外れ止め３に取り付けられる副外れ止め３とを備える。
【００２１】
（フック本体）
フック本体１は、クレーンのワイヤロープの先端に垂下される基部４と、この基部４から延び、側面視で斜め上向きに開口するよう傾斜したＵ字乃至Ｃ字状に形成される受部５と、この受部５の先端に先細に形成され、好ましくは基部４からの距離（フック本体１の開口幅）が先端に向かって増大する先端部６とを有する。
【００２２】
（主外れ止め）
主外れ止め２は、主枢支ピン７によって、一端フック本体１の基部４に揺動可能に枢支され受部５側に延び、他端（先端）がフック本体１の基部４側の内縁（表面のうち先端部６に対向する側の部分）と先端部６側の内縁との間で揺動可能である。具体的には、フック本体１の基部４には、主外れ止め２の端部に嵌合するリブ８が突設され、このリブ８及び主外れ止め２の端部に主枢支ピン７が挿通されることによって、主外れ止め２がフック本体１に取り付けられる。
【００２３】
また、主枢支ピン７には、主ねじりばね９が嵌装されている。この主ねじりばね９は、主外れ止め２をその先端が基部４から遠ざかる方向に移動するよう回転付勢して、主外れ止め２の先端（主枢支ピン７に枢支されるのと反対側の端部）をフック本体１の先端部６の近傍（つまり受部５の先端部６側部分でもよい）の内縁に押し当てる。これによって、外力が作用しない状態（正常な吊り上げ作業時）でフック本体１の受部５の開口が主外れ止め２によって封止され、玉掛けワイヤロープの外れを防止することができる
【００２４】
このため、当該フックに玉掛けワイヤロープや吊り環等を掛けるときは、この主ねじりばね９の付勢力に抗して主外れ止め２を基部４側（受部５の奧側）に揺動させることで、玉掛けワイヤロープを通過させる隙間を形成する。
【００２５】
主外れ止め２は、主枢支ピン７が貫通する枢支穴を有する一対の側壁１０と、この一対の側壁１０の受部５と反対側の側縁を接続する外壁１１とを有する概略溝型に形成することができる。このような主外れ止め２は、例えば金属板を折り曲げて形成することができる。また、主外れ止め２の外壁１１の先端部は、フック本体１に係合するよう、受部５又は先端部６の当接する部分の内縁に沿って凹んでいることが好ましい。
【００２６】
主外れ止め２は、外壁１１の長手方向中央部に副外れ止め３が貫通する長穴状の開口１２を有する。このように、開口１２を形成して後述する副外れ止め３を保持することによって、主外れ止め２の強度を確保しつつ、副外れ止め３のスムーズな揺動が容易に実現できる。
【００２７】
（副外れ止め）
副外れ止め３は、主外れ止め２の開口１２を貫通するよう配置され、副枢支ピン１３によって主外れ止め２の中央部に揺動可能に枢支される。具体的には、副枢支ピン１３は、主外れ止め２の一対の側壁１０と副外れ止め３とを貫通する。
【００２８】
副外れ止め３は、外力が作用しない状態で、一端（第１端部１４）がフック本体１の先端部に近接するよう延び、他端（第２端部１５）がフック本体１の主外れ止め２の枢支位置（リブ８）よりも内側の内縁に近接するよう延びる。なお、「近接」とは、副外れ止め３の両端（第１端部１４及び第２端部１５）が同時にフック本体１に当接することが好ましいものの、いずれか一方のみがフック本体１に当接して他方がフック本体１から僅かに離間する状態となり得ることを企図している。
【００２９】
当該フックにおいて、副外れ止め３のフック本体１の先端部６側に延びる第１端部１４は、主外れ止め２と先端部６とによって形成される側面視Ｖ字状の凹部に玉掛けワイヤロープの弛んだ部分が引っ掛かって知恵の輪現象により玉掛けワイヤロープが当該フックから外れることを防止する。
【００３０】
特に、副外れ止め３が主外れ止め２の中央部から延びることで、副外れ止め３をフック本体１の先端部６の内縁（基部４側の側面）に当接させることができる。これにより、副外れ止め３の第１端部１４がフック本体１の先端部６の端点（受部５から最も遠い点）よりも基部４側に位置し、先端部６の外縁側に突出しないようにすることができるので、玉掛けワイヤロープが副外れ止め３の第１端部１４を持ち上げて副外れ止め３と主外れ止め２との間に滑り込むことを防止して、知恵の輪現象により当該フックから外れることをより確実に防止することができる。
【００３１】
一方、副外れ止め３のフック本体１の先端部６側に延びる部分は、その先端を基部４又は受部５の基部近傍部分に当接させることで、玉掛けワイヤロープの弛んだ部分が副外れ止め３のフック本体１の先端部６側に延びる部分を内側に押圧したときにも主外れ止め２が基部４側に揺動することを防止する。
【００３２】
このような副外れ止め３は、例えば、金属の鋳造、金属ブロックからの削り出し等によって形成することができる。これにより、最適な形状と十分な強度とを兼ね備える副外れ止め３を形成することができる。
【００３３】
また、副枢支ピン１３には、副ねじりばね１６が嵌装されている。この副ねじりばね１６は、副外れ止め３の第１端部１４が主外れ止め２の先端に向かって移動するよう、主外れ止め２に対して副外れ止め３を回転付勢している。つまり、副ねじりばね１６は、主外れ止め２の先端がフック本体１の内縁に当接している状態において、第１端部１４が先端部６に近接し、第２端部１５が基部４又は受部５の内縁（基部４に対向する部分）に近接するよう副外れ止め３を付勢する。
【００３４】
このように、副外れ止め３が副ねじりばね１６によって回転付勢されることによって、外力が作用しない状態で副外れ止め３の第１端部１４がフック本体１の先端部６に近接し、主外れ止め２と先端部６とによって形成される凹部に玉掛けワイヤロープが入り込むことを防止する効果が高い。
【００３５】
当該フックに玉掛けワイヤロープを係合させる場合には、副ねじりばね１６の付勢力に抗して第１端部１４をフック本体１の開口外側ひいては基部４側に移動させると共に第２端部１５を受部５の内側ひいては先端部６側に移動させるよう副外れ止め３を回動させつつ、主ねじりばね９の付勢力に抗して主外れ止め２を基部４側に揺動させればよい。
【００３６】
副外れ止め３の枢支位置（副枢支ピン１３の中心軸の位置）としては、主外れ止め２の中央近傍が好ましい。このために、副外れ止め３は、外力が作用しない状態で両端が副枢支ピン１３による枢支位置より内側に位置するよう屈曲していることが好ましい。また、このように副外れ止め３を屈曲させることによって、第２端部１５のフック本体１に対する傾斜角度（フック本体１の当接部の法線との角度）が大きくなる。これにより、第１端部１４をフック本体１の先端部６から離間させて主外れ止め２と第１端部１４との間に玉掛けワイヤロープを配置した状態で玉掛けワイヤロープを当該フックの内側に向かって引っ張ることで、第２端部１５をフック本体１の内縁に沿って摺動させて副外れ止め３を回動させ、主外れ止め２の揺動を可能にして玉掛けワイヤロープを当該フックに装着することができる。
【００３７】
主外れ止め２の基部４側の端部から副外れ止め３の枢支位置までの距離の下限としては、主外れ止め２の主枢支ピン７の中心とその先端までの長さの１０％以上で、２０％以上が好ましく、３０％以上がより好ましく、４０％以上がさらに好ましい。一方、主外れ止め２の基部４側の端部から副外れ止め３の枢支位置までの距離の上限としては、主外れ止め２の上記長さの９０％以下で、８０％以下が好ましく、７０％以下がより好ましく、６０％以下がさらに好ましい。主外れ止め２の基部４側の端部から副外れ止め３の枢支位置までの距離が上記下限に満たない場合、副外れ止め３の一端をフック本体１の先端部６の内縁側に当接させることが困難となり、先端部６の端点を覆うように当接させざるを得なくなり、副外れ止め３の第１端部１４が先端部６から突出してとの間に副外れ止め３と先端部６との間に玉掛けワイヤロープが入り込みやすくなるおそれがある。逆に、主外れ止め２の基部４側の端部から副外れ止め３の枢支位置までの距離が上記上限を超える場合、副外れ止め３の第１端部１４の水平方向に対する傾斜角度が小さくなることで、副外れ止め３上に玉掛けワイヤロープが引っ掛かりやすくなり、主外れ止め２を揺動させて玉掛けワイヤロープが外れる知恵の輪現象が生じやすくなるおそれがある。
【００３８】
副外れ止め３の屈曲角度（副枢支ピン１３の中心軸を中心とする第１端部１４及び第２端部１５の副枢支ピン１３の中心軸から最も遠い点間の角度であって、角度の小さい側）の下限としては、４５°以上６０°以上、７５°以上が好ましく、９０°以上がより好ましく、１１０°以上がさらに好ましい。一方、副外れ止め３の屈曲角度の上限としては１８０°未満、１７０°以下が好ましく、１５０°以下がより好ましく、１４０°以下がさらに好ましい。副外れ止め３の屈曲角度が上記下限に満たない場合、副外れ止め３の第１端部１４の水平方向に対する傾斜角度が小さくなり過ぎるおそれや、第２端部１５により主外れ止め２の揺動防止効果が小さくなるおそれがある。逆に、副外れ止め３の屈曲角度が上記上限を超える場合、副外れ止め３の枢支位置が主外れ止め２の先端に近くなり過ぎるおそれがある。
【００３９】
副外れ止め３は、第１端部１４にフック本体１の先端部６の内縁に係合する凹部１７を有する。副外れ止め３は、この凹部１７を形成するために、第１端部１４の幅（主枢支ピン７に垂直な方向から見て、主枢支ピン７に平行な方向の長さ）が、第２端部１５及び主外れ止め２を貫通する中央部の幅よりも大きくなっている。副外れ止め３は、凹部１７によって先端部６を挟み込むように配置されるので、横方向の荷重に対する強度が大きい。
【００４０】
＜利点＞
以上のように、当該フックは、副外れ止め３が主外れ止め２に揺動可能に枢支されているため、副外れ止め３の第１端部１４の先端がフック本体１の先端部６の端点よりも内側に近接するよう構成することができる。このため、玉掛けワイヤロープが副外れ止め３を押し開いて主外れ止め２と副外れ止め３の第１端部１４との間の空間に入り込むことを防止し、知恵の輪現象によるロープの外れを防止することができる。
【００４１】
また、当該フックは、副外れ止め３が主外れ止め２に揺動可能に枢支されているため、予め副外れ止め３を主外れ止め２に取り付けておけば、主外れ止め２をフック本体１に取り付けることで当該フックが完成する。このため、当該フックは、組み立てが比較的容易である。また、当該フックは、予め副外れ止め３を取り付けた主外れ止め２を既存のフックの外れ止めと交換することによって得ることもできる。
【００４２】
［その他の実施形態］
上記実施形態は、本発明の構成を限定するものではない。従って、上記実施形態は、本明細書の記載及び技術常識に基づいて上記実施形態各部の構成要素の省略、置換又は追加が可能であり、それらは全て本発明の範囲に属するものと解釈されるべきである。
【００４３】
当該フックにおいて、副外れ止めは、フック本体の基部側に延びる第２端部を有しないものであってもよい。また、副外れ止めは、第１端部が拡幅されていないものであってもよく、先端に凹部を有しないものであってもよい。また、副外れ止めは、ばねによらず、自重によって第１端部をフック本体の先端部に近接するものであってもよい。
【００４４】
当該フックは、クレーンのワイヤロープに取り付けられるものに限られず、例えばチェーンブロックの荷鎖の先端に取り付けられるもの等、他の吊り挙げ装置の吊り具として用いられてもよい。
【００４５】
当該フックは、基部から逆方向に２つの受部が延び、側面視Ｗ字状に形成されるいわゆる両かぎフックであってもよく、そのフックのどちらか一方または両方に本発明のはずれ止めを取り付けてもよい。
【産業上の利用可能性】
【００４６】
本発明は、クレーン用の吊り具として特に好適に利用することができる。
【符号の説明】
【００４７】
１  フック本体
２  主外れ止め
３  副外れ止め
４  基部
５  受部
６  先端部
７  主枢支ピン
８  リブ
９  主ねじりばね
１０  側壁
１１  外壁
１２  開口
１３  副枢支ピン
１４  第１端部
１５  第２端部
１６  副ねじりばね
１７  凹部
【図１】
2019034846.tif 000003
【図２】
2019034846.tif 000004
【手続補正書】
【提出日】平成30年2月26日(2018.2.26)
【手続補正１】
【補正対象書類名】特許請求の範囲
【補正対象項目名】全文
【補正方法】変更
【補正の内容】
【特許請求の範囲】
【請求項１】
フック本体と、
一端が上記フック本体の基部に揺動可能に枢支され、他端が上記フック本体の先端部近傍の内縁に押し当てられるよう付勢される主外れ止めと、
上記主外れ止めに揺動可能に枢支され、外力が作用しない状態で第１端部が上記フック本体の先端部の端点よりも内側に近接し、
第２端部が上記フック本体の基部側に延び、外力が作用しない状態で第２端部が上記フック本体の上記主外れ止めの枢支位置よりも内側の内縁に近接する副外れ止めと
を備えるフック。
【請求項２】
上記副外れ止めが、外力が作用しない状態で両端が副外れ止めの枢支位置よりフック本体の内側に位置するよう屈曲している請求項１に記載のフック。
【請求項３】
上記副外れ止めが、上記主外れ止めに形成される開口を貫通する請求項１又は請求項２に記載のフック。
【請求項４】
上記副外れ止めが上記第１端部に上記フック本体の先端部の内縁に係合する凹部を有する請求項１、請求項２又は請求項３に記載のフック。
【請求項５】
上記副外れ止めが上記主外れ止めに対してばねで回転付勢されている請求項１から請求項４のいずれか１項に記載のフック。
【手続補正２】
【補正対象書類名】明細書
【補正対象項目名】０００８
【補正方法】変更
【補正の内容】
【０００８】
上記課題を解決するためになされた本発明の一態様に係るフックは、フック本体と、一端が上記フック本体の基部に揺動可能に枢支され、他端が上記フック本体の先端部近傍の内縁に押し当てられるよう付勢される主外れ止めと、上記主外れ止めに揺動可能に枢支され、外力が作用しない状態で第１端部が上記フック本体の先端部の端点よりも内側に近接する副外れ止めとを備える。
【手続補正３】
【補正対象書類名】明細書
【補正対象項目名】００３１
【補正方法】変更
【補正の内容】
【００３１】
一方、副外れ止め３のフック本体１の主外れ止め２の枢支位置よりも内側の内縁に延びる部分は、その先端を基部４又は受部５の基部近傍部分に当接させることで、玉掛けワイヤロープの弛んだ部分が副外れ止め３のフック本体１の先端部６側に延びる部分を内側に押圧したときにも主外れ止め２が基部４側に揺動することを防止する。